(57)【要約】      （修正有）【課題】パターを構成するヘッド部に連結されるシャフトの角度を使用者の体型に合わせて任意に調整できるようにして、より精巧なパッティングを可能にした、ライ角の調整が容易なゴルフ用パターを提供する。【解決手段】ヘッド部１０のインパクト面１１の一側に、内周面に雌ギア１４が形成された嵌合固定具１６が嵌め合わせられる嵌合孔１３が形成され、前記雌ギア１４が形成された嵌合固定具１６の内側に対応して雄ギア２３が形成された結合具２５が結合されたシャフト２０を結合し、ナット３０で固定したものである。雌ギア１４に対して雄ギア２３の形成された結合具２５を調整して、ヘッド部１０に連結されたシャフト２０の角度を使用者の体型に合うように調整することができる。【選択図】図２
0003113780.tif 000002
【実用新案登録請求の範囲】
【請求項１】
ヘッド部１０とシャフト２０が結合されてなるゴルフ用パター１において、前記ヘッド部１０を構成するインパクト面１１の一側に嵌合孔１３が形成され、この嵌合孔１３に、内周面に雌ギア１４が形成された構造の嵌合固定具１６を嵌め合わせ、外周面に雄ギア２３が形成され、内部に嵌合孔２１が形成され、この嵌合孔２１にシャフト２０の折曲端部２０ａを嵌め合わせて固定し、後方にボルト部２４が形成された構造の結合具２５を前記嵌合固定具１６の雌ギア１４と噛み合わせ、ボルト部２４に別途のナット３０を螺合させてなることを特徴とする、ライ角の調整が容易なゴルフ用パター。
【請求項２】
前記インパクト面１１の一側に形成された嵌合孔１３の外側に凹型基準表示線１２が形成され、前記嵌合固定具１６の一側に基準表示線１５が形成され、前記結合具２５の位置にライ角調整線２２が形成されることを特徴とする、請求項１に記載のライ角の調整が容易なゴルフ用パター。
【考案の詳細な説明】
【技術分野】
【０００１】  本考案はパターを構成するヘッド部に連結されるシャフトの角度を使用者の体型に合わせて任意に調整できるようにして、より精巧なパッティングを可能にした、ライ角の調整が容易なゴルフ用パターに係るものである。より詳しくは、ヘッド部を構成するインパクト面の一側に挿合孔を形成し、この挿合孔には、内周面に雌ギア歯が形成された嵌合固定具を挿着し、この嵌合固定具のギア雌歯と対応して噛み合う雄ギア歯が形成される結合具にシャフトを挿着し、前記結合具をナットで締結してなる、ライ角の調整が容易なゴルフ用パターに関するものである。
【背景技術】
【０００２】  一般に、パッティングに際しては、ヘッドと地面が接するライ角（ｌｉｅ  ａｎｇｌｅ）が非常に重要である。
しかし、従来のゴルフ用パターは、図５に示すように、パター１００を構成するヘッド１０１とシャフト１０２が単純に一体に結合してなるものが大部分であるため、ライ角を調整するためには、使用者が使用するパター１００の構造に合わせて使用者のパッティング姿勢を調整しなければならなかった。
しかし、使用者がパター１００の構造に合わせて姿勢を調整することは非常に難しく、長期間のパッティング練習により、そのパターに適したパッティング姿勢を習得することができるものである。
さらに、使用者が練習をおろそかにする、長時間パターを使用しない、または、他種のパターを使用する場合においては、パッティング姿勢が崩れ、正常のパッティングができない欠点がある。
このような欠点を解消するため、最近では、使用者の体型に合うようにシャフトをパターネック部で強制的に曲げてシャフトの角度を調整する、あるいは、別の角度調整部を設けてライ角の調整を可能にして使用する等の対応が取られている。しかし、必要時に角度を調整するために角度調整部を操作する時、小さな力を加えても、調整される角度の変化が微妙であるため、未熟練者は調整し難い欠点がある。更に、構造的に複雑であるため、一度調整すると調整し直すことが難しく、使用者の体型に合わせてライ角をどのくらい調整するかが正確に分からないので、不正確な角度に調整し易く、パッティング姿勢を正しく取ることができない欠点がある。
【考案の開示】
【考案が解決しようとする課題】
【０００３】  従って、本考案は前記のような欠点を解決するためになされたものである。その目的とするところは、ゴルフ用パターを構成するヘッド部のインパクト面の一側に、雌ギア歯で形成された嵌合固定具をヘッド部と一体となるように固定し、前記雌ギア歯と対応して噛み合う雄ギア歯で形成された結合具をシャフトと一体となるように固定し、前記雌ギア歯が形成されたヘッド部に雄ギア歯が形成されたシャフトを結合し、これをナットで締結することにより、雌ギアと雄ギアの噛み合いにより、ヘッド部に結合されたシャフトの角度を使用者の体型に合うように任意に調整可能にして、より精巧なパッティングができるようにした、ライ角の調整が容易なゴルフ用パターを提供することにある。
【課題を解決するための手段】
【０００４】  上記課題を解決するために、本考案は、ヘッド部とシャフトが結合されてなるゴルフ用パターにおいて、前記ヘッド部を構成するインパクト面の一側に嵌合孔が形成され、この嵌合孔に、内周面に雌ギアが形成された構造の嵌合固定具を嵌め合わせ、外周面に雄ギアが形成され、内部に嵌合孔が形成され、この嵌合孔にシャフトの折曲端部を嵌め合わせて固定し、後方にボルト部が形成された構造の結合具を前記嵌合固定具の雌ギアと噛み合わせ、ボルト部に別途のナットを螺合させてなることを特徴とする、ライ角の調整が容易なゴルフ用パターを提供する。
前記インパクト面の一側に形成された嵌合孔の外側に凹型基準表示線が形成され、前記嵌合固定具の一側に基準表示線が形成され、前記結合具の位置にライ角調整線が形成されることが好ましい。
【考案の効果】
【０００５】  以上のように、本考案は、ゴルフ用パターを構成するヘッド部の一側に、ヘッド部と一体となるように、嵌め合わせた固定結合具の雌ギアに、シャフトの下端部を折り曲げて形成した折曲端部と一体的に嵌め合わせられた結合具の雄ギアを噛み合わせ、別途のナットを結合具のボルト部に螺合させることにより、ヘッド部とシャフトが一体的に固定されるパターであって、使用時には、必要に応じて、ボルト部に螺合されたナットを解除して、雌ギアと噛み合っている雄ギアを離脱させた後、凹型基準表示線と基準表示線と基準としてライ角調整線を左右に回転させて、使用者の体型に適するようにシャフトの角度を調整した雄ギアを雌ギアに噛み合わせた状態で、ボルト部にナットを螺合させることにより、使用者の体型に適したパターで、正確かつ精巧なパッティングが行える。
【考案を実施するための最良の形態】
【０００６】  以下に添付図面を参照しながら本考案の好適実施形態について詳細に説明する。
図１は本考案によるライ角の調整が容易なゴルフ用パターを示す斜視図、図２は本考案によるゴルフ用パターを示す分解斜視図、図３は図２の要部拡大斜視図、図４は図１のゴルフ用パターの平断面図である。
本考案によるライ角の調整が容易なゴルフ用パターは、ヘッド部１０とシャフト２０が結合されてなるゴルフ用パター１において、前記ヘッド部１０を構成するインパクト面１１の一側部に凹型基準表示線１２と嵌合孔１３を形成し、内周面に雌ギア１４が形成され、一側面に基準表示線１５が形成された嵌合固定具１６を前記ヘッド部１０の嵌合孔１３に一体化されるように嵌め合わせ、前記雌ギア１４が形成された嵌合固定具１６に対応して、シャフト２０の下端部を折り曲げて形成した折曲端部２０ａと一体化されるように適宜の深さの嵌合孔２１を形成し、適正位置のギア歯にライ角調整線２４を突設した構造の結合具２５を設け、前記結合具２５の雄ギア２３を前記嵌合固定具１６の雌ギア１４と噛み合わせた状態で、前記結合具２５のボルト部２４にナット３０を螺合させて結合させた構造である。
このような本考案は、内周面に多数のギア歯を突設して雌ギア１４を形成した嵌合固定具１６をヘッド部１０の嵌合孔１３に挿着した後、外周面に多数のギア歯を突設して雄ギア２３を形成した本体の内部に、シャフト２０の折曲端部２０が挿着される嵌合孔２１が形成し、後方部にはボルト部２４を突設した構造の結合具２５の前記雄ギア２３を前記嵌合固定具１６の雌ギア１４に噛み合わせた状態で、嵌合固定具１６の後方に突出したボルト部２４に別途のナット３０を螺合させることで、ヘッド部１０とシャフト２０が一体的に堅く結合されるものである。
この際、ヘッド部１０に嵌め合わせられたシャフト２０の折曲端部２０ａはヘッド部１０のインパクト面１１に対して直角に固定されると同時にシャフト２０に垂直に結合されたものである。
このように構成される本考案のパター１は、使用時に使用者の体型に合わせてシャフト２０のライ角を調整するときは、ボルト部２４に螺合されたナット３０を解除させることで、シャフト２０と嵌め合わせられて嵌合固定具１６の雌ギア１４に噛み合わせられた状態の雄ギア２３を離脱させ、ヘッド部１０に表示された凹型基準表示線１２を基準としてライ角調整線２２を左右に回転させて、体型に適した位置で前記雄ギア２３を雌ギア１４と噛み合わせた後、雄ギア２３と一体に形成されたボルト部２４にナット３０を螺合させることにより、使用者に体型に適したライ角に調整されたパターを使用することができる。
このような本考案は、前記嵌合孔１３の一側に形成された凹型基準表示線１２と嵌合固定具１６の水平線上の適正位置に形成された基準表示線１５は、ライ角の調整のために、結合具２５に嵌め合わせられているシャフト２０をヘッド部１０の嵌合孔１３に嵌め合わせるとき、嵌合孔１３の一側に形成された凹型基準表示線１２および嵌合固定具１６の適正位置に形成された基準表示線１５と、結合具２５の外周面に形成された雄ギア２３の適正位置に表示されたライ角調整線２２を用いて使用者に適したライ角を調整して結合させることにより、使用者の姿勢に合う正確で精巧なライ角を調整して、いつでも同一の姿勢で一定で精巧なパッティングが行える。
一方、本考案においては、嵌合固定具１６の内部に結合される結合具２５が別途に設けられてシャフト２０と固定されたものと説明しているが、製作の際にシャフト２０の下端部に直接雄ギアを形成し、嵌合固定具１６の内部に直接結合させることもでき、これも本考案の範疇に属するものである。
【図面の簡単な説明】
【０００７】
【図１】本考案によるライ角の調整が容易なゴルフ用パターを示す斜視図である。
【図２】本考案によるゴルフ用パターを示す分解斜視図である。
【図３】図２の要部拡大斜視図である。
【図４】図１のゴルフ用パターの平断面図である。
【図５】従来のゴルフ用パターを示す斜視図である。
【符号の説明】
【０００８】  １            パター
１０          ヘッド部
１１          インパクト面
１２          凹型基準表示線
１３、２１    嵌合孔
１４          雌ギア
１５          基準表示線
１６          嵌合固定具
２０          シャフト
２０ａ        折曲端部
２２          ライ角調整線
２３          雄ギア
２４          ボルト部
２５          結合具
３０          ナット
【図１】
0003113780.tif 000003
【図２】
0003113780.tif 000004
【図３】
0003113780.tif 000005
【図４】
0003113780.tif 000006
【図５】
0003113780.tif 000007